(57)【要約】調節可能チャイルドキャリアは、広範囲のサイズの子供に適応するように調節され得る、調節可能バケットシートを含む。チャイルドキャリアは、単独で、または協働して機能する、１つ以上の調節部を含み、チャイルドキャリアによって提供されるバケットシート面積の深度および幅を調節する。キャリアは、種々のサイズの子供を子供のサイズのために適切な人間工学的位置において支持可能である。チャイルドキャリアは、複数の搬送位置および配向のために調節可能である。
2019532772.tif 000002
【特許請求の範囲】
【請求項１】
多位置多配向調節可能チャイルドキャリアであって、
装着者の腰部のまわりに固着するために適合されるウエストベルトと、
前記ウエストベルトに結合される主要本体であって、前記主要本体は、装着者の胴体と協働する子供搬送面積を形成するように適合され、前記主要本体は、
少なくとも子供の胴体を支持するために構成される胴体支持部分と、
シート部分と、
前記シート部分と協働し、複数のバケットシート構成に構成可能な調節可能バケットシートを形成し、複数の子供サイズおよび搬送配向に適応するように適合される第１の腿支持ストラップおよび第２の腿支持ストラップであって、前記複数のバケットシート構成はそれぞれ、バケットシート深度およびバケットシート幅を有し、対応するサイズ範囲内の子供を蹲踞位置において支持するように適合され、前記第１の腿支持ストラップおよび第２の腿支持ストラップはそれぞれ、複数の場所において前記胴体支持部分およびウエストベルトに選択的に締結されるように適合される、第１の腿支持ストラップおよび第２の腿支持ストラップと
を備える、主要本体と
を備える、チャイルドキャリア。
【請求項２】
前記チャイルドキャリアは、正面内向きの構成と、正面外向きの構成と、背面内向きの構成と、側面内向きの構成とを備える複数のキャリア構成において、子供を蹲踞位置において支持するように調節可能である、請求項１に記載のチャイルドキャリア。
【請求項３】
前記複数のバケットシート構成は、
第１のサイズ範囲内の子供を内向きの配向において第１の対応する蹲踞位置において支持するように適合される第１の構成と、
第２のサイズ範囲内の子供を内向きの配向において第２の対応する蹲踞位置において支持するように適合される第２の構成と、
第３のサイズ範囲内の子供を第３の対応する蹲踞位置に内向きの配向において支持するように適合される第３の構成と、
外向きに配向される子供を第４の対応する蹲踞位置において支持するように適合される第４の構成と
を備え、
前記第１の構成は、第１のバケットシート基部幅および第１のバケットシート深度を有し、前記第２の構成は、第２のバケットシート基部幅および第２のバケットシート深度を有し、前記第３の構成は、第３のバケットシート基部幅および第３のバケットシート深度を有し、前記第１のバケットシート基部幅は、前記第２のバケットシート基部幅未満であり、前記第１のバケットシート深度は、前記第２のバケットシート深度よりも大きく、前記第２のバケットシート基部幅は、前記第３のバケットシート基部幅未満であり、前記第２のバケットシート深度は、前記第３のバケットシート深度よりも大きい、請求項１に記載のチャイルドキャリア。
【請求項４】
前記第４の構成は、第１の構成の上部幅、第２の構成の上部幅、および第３の構成の上部幅より狭い、バケットシート上部幅を有する、請求項１に記載のチャイルドキャリア。
【請求項５】
前記バケットシート深度および前記バケットシート幅を調節するように適合される１つ以上の調節面積をさらに備える、請求項１に記載のチャイルドキャリア。
【請求項６】
前記チャイルドキャリアは、基部幅調節部および上部幅調節部を備え、前記基部幅調節部は、第１の腿支持ストラップおよび第２の腿支持ストラップを前記ウエストベルトに選択的に結合するように適合され、前記上部幅調節部は、前記第１の腿支持ストラップおよび第２の腿支持ストラップを前記胴体支持部分に選択的に結合するように適合される、請求項１に記載のチャイルドキャリア。
【請求項７】
前記基部幅調節部は、前記第１の腿支持ストラップに結合される第１の基部幅アジャスタと、前記第２の腿支持ストラップに結合される第２の基部幅アジャスタとを備え、前記第１の基部幅アジャスタおよび第２の基部幅アジャスタは、複数の場所において前記ウエストベルトに選択的に結合し、前記バケットシート深度を調節するために構成される、請求項６に記載のチャイルドキャリア。
【請求項８】
前記複数のバケットシート構成は、乳児用インサートを伴わずに、乳児を蹲踞位置において支持するように適合される構成を備える、請求項７に記載のチャイルドキャリア。
【請求項９】
前記チャイルドキャリアは、前記バケットシート深度に依存する装着可能高さを有する、請求項７に記載のチャイルドキャリア。
【請求項１０】
前記バケットシートの膨隆を制御するように適合される成形部材をさらに備える、請求項７に記載のチャイルドキャリア。
【請求項１１】
前記シート部分は、
シート中心部分と、
前記シート中心部分および第１の腿支持ストラップとの間に配置される第１の襠であって、前記第１の襠は、前記第１の腿支持ストラップとシート中心部分との間に及ぶ第１の襠の第１の遊離縁と、前記第１の腿支持ストラップとシート中心部分との間に及ぶ第１の襠の第２の遊離縁とを有する、第１の襠と、
前記シート中心部分と前記第２の腿支持ストラップとの間に配置される第２の襠であって、前記第２の襠は、前記第２の腿支持ストラップとシート中心部分との間に及ぶ第２の襠の第１の遊離縁と、前記第２の腿支持ストラップとシート中心部分との間に及ぶ第２の襠の第２の遊離縁とを有し、前記第１の襠は、前記第１の基部幅アジャスタの調節に応答して、開閉するように適合され、前記第２の襠は、前記第２の基部幅アジャスタの調節に応答して、開閉するように適合される、第２の襠と
を備える、請求項７に記載のチャイルドキャリア。
【請求項１２】
前記基部幅調節部は、最大バケットシート深度に対応する第１の設定および最小バケットシート深度に対応する第２の設定に構成可能であり、前記第１の襠および第２の襠は、前記第１の設定に対応する第１の形状および前記第２の設定に対応する第２の形状を有する、請求項１１に記載のチャイルドキャリア。
【請求項１３】
前記第１の基部幅アジャスタおよび第２の基部幅アジャスタは、前記第１の腿支持ストラップおよび第２の腿支持ストラップを前記シート中心部分の側方外側縁に対して回転させ、前記第１の襠および第２の襠を開閉するように、回転を通して調節可能である、請求項１２に記載のチャイルドキャリア。
【請求項１４】
内側の折り下げられた位置において構成可能な頸部支持体をさらに備え、前記頸部支持体は、子供の頸部を支持するために前記子供搬送面積内に位置付けられる、請求項１に記載のチャイルドキャリア。
【請求項１５】
前記頸部支持体はさらに、延在された折り上げられた位置および外側の折り下げられた位置において構成可能である、請求項１３に記載のチャイルドキャリア。
【請求項１６】
前記複数のバケットシート構成は、乳児用インサートを伴わずに、乳児を蹲踞位置において支持するように適合される構成を備える、請求項１に記載のチャイルドキャリア。
【請求項１７】
前記複数のバケットシート構成は、小児を蹲踞位置において支持するように適合される構成を備える、請求項１６に記載のチャイルドキャリア。
【請求項１８】
チャイルドキャリアを構成する方法であって、
少なくとも子供の胴体を支持するために構成される胴体支持部分と、シート部分と、第１の腿支持ストラップおよび第２の腿支持ストラップとを備える多位置多配向チャイルドキャリア内で搬送されるべき子供のために、前記シート部分と、第１の腿支持ストラップと、第２の腿支持ストラップとによって形成される前記チャイルドキャリアのバケットシートを子供のサイズおよび搬送配向に調節するステップであって、前記バケットシートを前記子供のサイズおよび搬送配向に調節するステップは、
前記搬送配向に対応する接続点において、前記第１の腿支持ストラップおよび前記第２の腿支持ストラップを前記胴体支持部分に選択的に結合するステップと、
前記子供のサイズに対応する基部幅設定のための位置において、前記チャイルドキャリアの基部幅アジャスタを前記チャイルドキャリアのウエストベルトに結合することによって、前記バケットシートの深度を構成するステップと
を含む、ステップと、
前記子供が人間工学的蹲踞位置において支持されるように、前記子供を前記チャイルドキャリアの子供搬送面積内に位置付けるステップと
を含む、方法。
【請求項１９】
前記子供が人間工学的蹲踞位置において支持されるように、前記子供を前記チャイルドキャリアの子供搬送面積に位置付けるステップは、乳児用インサートの使用を伴わずに、前記乳児が人間工学的蹲踞位置において支持されるように、乳児を前記チャイルドキャリアの子供搬送面積内に位置付けるステップを含む、請求項１８に記載の方法。
【請求項２０】
前記バケットシートの深度を構成するステップはさらに、前記基部幅アジャスタを回転させ、襠を開閉するステップを含む、請求項１８に記載の方法。
【請求項２１】
前記子供搬送面積の一部を充填し、子供の頸部を支持するように、調節可能頸部支持体を構成するステップをさらに含む、請求項１８に記載の方法。
【請求項２２】
正面搬送位置、背面搬送位置、または側面搬送位置のうちの１つのために、ハーネスを調節するステップをさらに含む、請求項１８に記載の方法。
【発明の詳細な説明】
【技術分野】
【０００１】
（関連出願）
本願は、２０１６年１０月２８日に出願され“Ａｄｊｕｓｔａｂｌｅ  Ｃｈｉｌｄ  Ｃａｒｒｉｅｒ  ｗｉｔｈ  Ｍｕｌｔｉｐｌｅ  Ｃａｒｒｙ  Ｏｒｉｅｎｔａｔｉｏｎｓ”と題された米国仮出願第６２／４１４，５６４号の３５  Ｕ．Ｓ．Ｃ．  §  １１９（ｅ）のもとでの優先権の利益を主張するものであり、該米国仮出願は、あらゆる目的のためにその全体が参照により本明細書中に援用される。
【０００２】
本開示は、チャイルドキャリアに関する。より具体的には、本開示は、子供が成長するにつれて子供を人間工学的に搬送するように適合可能なチャイルドキャリアに関する。
【背景技術】
【０００３】
種々のチャイルドキャリアが、現在、両親または他の個人によって子供を移送するために利用可能である。チャイルドキャリアは、子供を搬送する際、装着者に手および腕の移動の自由をもたらすため、乳児および小児を搬送するために人気となっている。子供の安全の追求において、これらのデバイスのいくつかは、とりわけ、剛性シートおよびフレームを伴って、過度に複雑となっており、これは、キャリアの重量を大幅に増加させ、子供の成長に適応することもできない。これらの複雑なキャリアは、比較的に重く、過度の歪みを、装着者に、特に、腰椎領域にかける。加えて、今日のキャリアの多くのサイズのため、それらは、背中のみに装着され、したがって、子供に、子供とその母親が対面関係となり得る位置の快適性および安全性を与えることができない。
【０００４】
軟質の構造化されたキャリアは、それらがより軽量であって、あまり煩雑ではなく、より装着が快適であるため、ますます人気になっている。これらのキャリアは、構造を提供するために、剛性フレームではなく、詰め物、縫製、および布地を組み込む。しかしながら、いくつかの軟質の構造化されたキャリアは、子供の脚部が下方に吊架し、子供の背骨の付け根が、子供の体重を支持する状態で、子供を直立位置に保持する。本位置は、乳児および他の若年の子供にとって最適ではあり得ない。成人の背骨は、４つの湾曲を有するが、乳児の背骨は、２つのみの湾曲を有する。乳児の背骨の大部分は、Ｃ−形状（いわゆる全後彎）を形成するであろう。乳児、特に、乳児を直立位置に位置付けることは、背骨の湾曲を過度に限定し、乳児の仙骨に応力をかけ得る。これは、乳児の骨盤を後方に傾斜させ、脚部および腰部移動を限定し得、これは、乳児の骨盤の健康な発達を妨害し得る。
【０００５】
さらに、従来の軟質の構造化されたキャリアは、通常、非常に限定された年齢、体重、およびサイズの子供のために設計され、ある範囲の年齢に適応するために、キャリアの形状に関して妥協される。キャリアが、ある年齢／体重／サイズにおける子供の人間工学的位置付けを支援する場合でも、同一キャリアを利用しながら、その年齢の範囲を通して子供を人間工学的位置に位置付けることは、異なる子供が、異なる速度で発達し、子供の解剖学的構造および生理学が、乳児期と小児期との間で大きく変化するため、問題を呈する。
【０００６】
乳児または低年齢児のために設計されるキャリアは、キャリアのシートおよび背面支持部分が小さすぎるであろうため、子供が幼児期に成長するにつれて、子供に適応し得ない。キャリアをより適合可能にする試みとして、いくつかのキャリアは、子供の成長に適応するために拡張し得る（例えば、付加的背面パネル材料を展開する、または新しいパネルを取り付けることによって）、展開され、シートに追加され、シートおよび／または背面パネルを広げることができる、付加的パネルを提供する。しかしながら、単に、シートを広げる、またはキャリアを延長させることは、適切な人間工学に適正に対処するものではない。
【０００７】
一方、より高年齢児のために設計されるキャリアは、乳児を適切に支持し得ない。本問題に対する１つの解決策は、特別に設計された「乳児用インサート」の使用である。一般に、乳児用インサートは、付加的詰め物および構造を組み込み、そうでなければ乳児を適切に支持しないであろう、小さな乳児をキャリア内で搬送することを可能にする、付属品である。しかしながら、全てのキャリアが、乳児用インサートの使用に対応するわけではない。さらに、設計に応じて、乳児用インサートは、煩雑、非直感的、かつ容易に紛失され得る。特に、別個の乳児用インサートの使用は、両親が２つの別個のデバイスを保管することを要求し得、装着者のためのキャリアの構成、キャリアの装着、またはキャリアへの子供の出し入れの困難度を有意に増加させ得る。
【０００８】
さらに、多くのキャリアは、限定された可撓性を提供し、子供が装着者に面したまたは装着者から外方に向いたのいずれかの単一配向にのみ適切に配向されることを可能にする。前述の問題に起因して、両親は、多くの場合、子供が成長するにつれてキャリアを交換することを選ぶ。
【発明の概要】
【課題を解決するための手段】
【０００９】
本明細書に説明される実施形態は、搬送される子供を複数の搬送位置（多位置）および複数の搬送配向（多配向）に人間工学的に支持するように調節可能である、調節可能チャイルドキャリアを提供する。一実施形態によると、多位置多配向チャイルドキャリアは、装着者の腰部のまわりに固着するために適合される、ウエストベルトと、ウエストベルトに結合される、主要本体とを備える。主要本体は、装着者の胴体と協働して、子供搬送面積を形成するように適合される。主要本体は、少なくとも子供の胴体を支持するために構成される、胴体支持部分と、シート部分と、第１の腿支持ストラップおよび第２の腿支持ストラップとを備える。第１の腿支持ストラップおよび第２の腿支持ストラップは、シート部分と協働し、複数のバケットシート構成において構成可能な調節可能バケットシートを形成するように適合される。第１の腿支持ストラップおよび第２の腿支持ストラップは、胴体支持部分およびウエストベルトを複数の場所に選択的に固着させ、複数のバケットシート構成を提供するように適合される。複数のバケットシート構成はそれぞれ、バケットシート深度およびバケットシート幅を有し、対応するサイズ範囲内の子供を蹲踞位置において支持するように適合されることができる。一実施形態によると、複数のバケットシート構成は、乳児用インサートを伴わずに、乳児を蹲踞位置において支持するように適合される構成を備える。複数のバケットシート構成はまた、小児を蹲踞位置において支持するように適合される構成を備えてもよい。チャイルドキャリアは、バケットシート深度に依存する、装着可能高さを有してもよい。
【００１０】
一実施形態によると、バケットシート構成は、第１のサイズ範囲内の子供を第１の配向において第１の対応する蹲踞位置において支持するように適合される、第１の構成と、第２のサイズ範囲内の子供を第１の配向において第２の対応する蹲踞位置において支持するように適合される、第２の構成と、第３のサイズ範囲内の子供を第３の対応する蹲踞位置に第１の配向において支持するように適合される、第３の構成と、子供を第４の対応する蹲踞位置において第２の配向において支持するように適合される、第４の構成とを含む。一実施形態では、第１の配向は、内向きの配向であって、第２の配向は、外向きの配向である。第１の構成は、第１のバケットシート基部幅および第１のバケットシート深度を有してもよく、第２の構成は、第２のバケットシート基部幅および第２のバケットシート深度を有してもよく、第３の構成は、第３のバケットシート基部幅および第３のバケットシート深度を有してもよく、第１のバケットシート基部幅は、第２のバケットシート基部幅未満であって、第１のバケットシート深度は、第２のバケットシート深度よりも大きく、第２のバケットシート基部幅は、第３のバケットシート基部幅未満であって、第２のバケットシート深度は、第３のバケットシート深度よりも大きい。第４の構成は、第１の構成、第２の構成、または第３の構成の上部幅未満のバケットシート上部幅を有してもよい。
【００１１】
チャイルドキャリアは、基部幅調節部および上部幅調節部を備えてもよく、基部幅調節部機構は、第１の腿支持ストラップおよび第２の腿支持ストラップをウエストベルトに選択的に結合するように適合され、上部幅調節部は、第１の腿支持ストラップおよび第２の腿支持ストラップを胴体支持部分に選択的に結合するように適合される。
【００１２】
一実施形態によると、基部幅調節部は、第１の腿支持ストラップに結合される第１の基部幅アジャスタと、第２の腿支持ストラップに結合される第２の基部幅アジャスタとを備え、第１の基部幅アジャスタおよび第２の基部幅アジャスタは、複数の場所においてウエストベルトに選択的に結合し、バケットシート深度を調節するために構成される。
【００１３】
チャイルドキャリアはさらに、バケットシートの膨隆を制御するように適合される、成形部材を備えてもよい。一実施形態によると、チャイルドキャリアは、シート中心部分と第１の腿支持ストラップとの間に配置される、第１の襠であって、第１の腿支持ストラップとシート中心部分との間に及ぶ第１の襠の第１の遊離縁と、第１の腿支持ストラップとシート中心部分との間に及ぶ第１の襠の第２の遊離縁とを有する、第１の襠と、シート中心部分と第２の腿支持ストラップとの間に配置される、第２の襠であって、第２の腿支持ストラップとシート中心部分との間に及ぶ第２の襠の第１の遊離縁と、第２の腿支持ストラップとシート中心部分との間に及ぶ第２の襠の第２の遊離縁とを有する、第２の襠とを含む。第１の襠は、第１の基部幅アジャスタの調節に応答して、開閉するように適合されてもよく、第２の襠は、第２の基部幅アジャスタの調節に応答して、開閉するように適合されてもよい。
【００１４】
基部幅調節部は、最大バケットシート深度に対応する第１の設定および最小バケットシート深度に対応する第２の設定において構成可能であることができる。第１の襠および第２の襠は、第１の設定に対応する第１の形状および第２の設定に対応する第２の形状を有することができる。一実施形態によると、第１の基部幅アジャスタおよび第２の基部幅アジャスタは、第１の腿支持ストラップおよび第２の腿支持ストラップをシート中心部分の側方外側縁に対して回転させ、第１の襠および第２の襠を開閉するように、回転を通して調節可能である。
【００１５】
一実施形態による、チャイルドキャリアはさらに、内側の折り下げられた位置において構成可能な頸部支持体を備え、頸部支持体は、子供の頸部を支持するために子供搬送面積内に位置付けられる。頸部支持体はさらに、延在された折り上げられた位置および外側の折り下げられた位置において構成可能であってもよい。
【００１６】
少なくとも子供の胴体を支持するために構成される、胴体支持部分と、シート部分と、第１の腿支持ストラップおよび第２の腿支持ストラップとを備える、多配向多位置チャイルドキャリアを構成するための方法は、シート部分、第１の腿支持ストラップ、および第２の腿支持ストラップによって形成される、チャイルドキャリアのバケットシートを子供のサイズおよび配向に調節するステップを含むことができる。バケットシートを子供のサイズおよび配向に調節するステップはさらに、子供のサイズに対応する基部幅設定のための位置において、チャイルドキャリアの基部幅アジャスタをチャイルドキャリアのウエストベルトに結合することによって、バケットシートの深度を構成する配向に対応する接続点において、第１の腿支持ストラップおよび第２の腿支持ストラップを胴体支持部分に選択的に結合するステップを含んでもよい。子供は、子供が人間工学的蹲踞位置において支持されるような配向において、チャイルドキャリアの子供搬送面積内に位置付けられることができる。
【図面の簡単な説明】
【００１７】
本発明のこれらおよび他の目的のより深い理解のために、付随の図面と関連付けて読まれるべき、以下の発明を実施するための形態を参照する。
【００１８】
【図１】図１は、胴体上に装着される調節可能キャリアの一実施形態の外側図の概略表現である。
【００１９】
【図２】図２は、子供が外向きの（装着者から外方に向いた）配向において支持されている、正面搬送位置に装着される調節可能チャイルドキャリアの一実施形態の側面図である。
【００２０】
【図３】図３は、子供が内向きの（装着者に向かって面した）配向において支持されている、正面搬送位置に装着される調節可能チャイルドキャリアの一実施形態の側面図である。
【００２１】
【図４】図４は、子供が内向きの配向において支持されている、背面搬送位置に装着される調節可能チャイルドキャリアの一実施形態の側面図の概略表現である。
【００２２】
【図５】図５は、子供が内向きの配向において支持されている、側面搬送（または腰部搬送）位置におけるチャイルドキャリアの一実施形態の概略表現である。
【００２３】
【図６Ａ】図６Ａは、調節可能ベビーキャリアの一実施形態の内側図の概略表現である。
【００２４】
【図６Ｂ】図６Ｂは、調節可能キャリアの一実施形態の外側図の概略表現である。
【００２５】
【図７Ａ】図７Ａは、第１の構成における調節可能チャイルドキャリアの一部の概略表現である。
【００２６】
【図７Ｂ】図７Ｂは、第２の構成における調節可能チャイルドキャリアの一部の概略表現である。
【００２７】
【図８Ａ】図８Ａは、第１の基部幅調節部構成における基部幅調節部の一実施形態の概略表現である。
【００２８】
【図８Ｂ】図８Ｂは、第２の基部幅アジャスタ構成における基部幅調節部の一実施形態の概略表現である。
【００２９】
【図８Ｃ】図８Ｃは、第３の基部幅調節部構成における基部幅調節部の一実施形態の概略表現である。
【００３０】
【図９Ａ】図９Ａは、第１の構成における上部幅調節部を伴うチャイルドキャリアの外側図の概略表現である。
【００３１】
【図９Ｂ】図９Ｂは、第２の構成における上部幅調節部を伴うチャイルドキャリアの外側図の概略表現である。
【００３２】
【図１０Ａ】図１０Ａは、第１のシート構成におけるバケットシートを伴うキャリアの一実施形態の概略表現である。
【００３３】
【図１０Ｂ】図１０Ｂは、第２のシート構成におけるバケットシートを伴うキャリアの一実施形態の概略表現である。
【００３４】
【図１０Ｃ】図１０Ｃは、第３のシート構成におけるバケットシートを伴うキャリアの一実施形態の概略表現である。
【００３５】
【図１１Ａ】図１１Ａは、第１の頸部支持体構成における頸部支持体を伴うキャリアの一実施形態の概略表現である。
【００３６】
【図１１Ｂ】図１１Ｂは、第２の頸部支持体構成における頸部支持体を伴うキャリアの一実施形態の概略表現である。
【００３７】
【図１１Ｃ】図１１Ｃは、第３の頸部支持体構成における頸部支持体を伴うキャリアの一実施形態の概略表現である。
【発明を実施するための形態】
【００３８】
チャイルドキャリアおよび関連方法ならびにその種々の特徴および有利な詳細は、付随の図面に図示され、以下の説明に詳述される、非限定的実施形態を参照することによって、より完全に説明される。周知の出発材料、処理技法、構成要素、および機器の説明は、詳細において本発明を不必要に曖昧にしないように省略される。しかしながら、発明を実施するための形態および具体的実施例は、本発明の好ましい実施形態を示すが、例証として与えられるにすぎず、限定ではないことを理解されたい。本発明の根本概念の精神および／または範囲内の種々の代用、修正、追加、ならびに／もしくは並べ替えは、本開示から当業者に明白となるであろう。
【００３９】
本開示は、乳児を含む、子供が、ある範囲の年齢を通して、子供を支持し、子供の骨盤および腿を好ましい人間工学的位置に維持する様式で搬送されることを可能にする、チャイルドキャリアに関する。特に、本明細書に説明される実施形態は、子供の臀部、骨盤、および腿を所望の位置において支持する、キャリアを提供する。本明細書に説明される実施形態はまた、子供が、子供を搬送する人物の正面または背面もしくは側面上で搬送されることを可能にする。キャリアは、それぞれ、正面、背面、または側面位置において、搬送される子供の体重が装着者の重力中心の近傍にあって、装着者の正面、背面、または側面面に近接した状態で、ユーザによって、装着者の正面、背面、または側面に装着されることができる。加えて、子供は、位置のうちの少なくとも１つにおいて、内向きの配向または外向きの配向に配向されてもよい。
【００４０】
本開示の一側面によると、キャリアは、複数の構成に調節され得る、バケットシートを含む。第１の構成は、第１のサイズ範囲内の子供を第１の配向において対応する第１の蹲踞位置において支持するように適合されてもよく、第２の構成は、第２のサイズ範囲内の子供を第１の配向において第２の対応する蹲踞位置において支持するように適合されてもよく、第３の構成は、第３のサイズ範囲内の子供を第１の配向において第３の対応する蹲踞位置において支持するように適合されてもよい。第１の構成は、第１のバケットシート幅および第１のバケットシート深度を有してもよく、第２の構成は、第２のバケットシート幅および第２のバケットシート深度を有してもよく、第３の構成は、第３のバケットシート幅および第３のバケットシート深度を有してもよい。一実施形態によると、第１のバケットシート幅は、第２のバケットシート幅未満であって、第１のバケットシート深度は、第２のシートバケット深度よりも大きく、第２のバケットシート幅は、第３のバケットシート幅未満であって、第２のバケットシート深度は、第３のバケットシート深度未満である。キャリアはさらに、子供を第２の配向において第４の対応する蹲踞位置において支持するように適合される、第４の構成に構成可能であってもよい。第１の配向は、内向きの配向であってもよく、第２の配向は、外向きの配向であってもよい。
【００４１】
より具体的には、一実施形態では、キャリアは、子供のためのバケットシートと、調節されると、シートバケットの深度およびチャイルドキャリアの高さを調節する役割を果たす、１つ以上の調節部とを含む。新生児設定に調節されると、キャリアは、シートバケットの深度が最大となり得るように構成される。逆に言えば、その最大、すなわち、最も大きなサイズ設定（例えば、キャリアが収容するように設計される最大子供のための設定）まで調節されると、シートバケットの深度は、最小となり得る。バケットシートの深度が最大であるとき、腿は、冠状面に対する子供の腿の角度が最大であり得るように支持されてもよく、バケットシートの深度が最小であるとき、腿は、冠状面に対する子供の腿の角度が最小であり得るように支持されてもよい。同様に、次いで、バケットシートが最大となると、キャリアは、バケットシートが最小深度であるときより比較的に湾曲をその背骨に伴って、キャリアがその中に搬送される子供を維持するように構成されてもよい。
【００４２】
例えば、チャイルドキャリアは、チャイルドキャリアによって提供されるバケットシート面積の形状を調節するために、単独で、または協働して機能する、１つ以上の調節点を含んでもよい。これらの調節点は、シート上部幅、シート基部幅、シートバケット深度、およびキャリア高さを調節するように構成されることができる。一実施形態によると、調節点は、主要パネルがキャリアのウエストバンドに結合される点におけるベビーキャリアの主要パネルの幅を調節するように適合される、基部幅調節点と、シートが主要パネルの上側胴体部分に結合する、主要パネルの幅を調節するための、シート上部幅調節点とを含む。主要パネルの幅の調節は、新生児のための最狭設定に調節されるとき、バケット面積のための最大形状、したがって、最大バケットシートの深度面積を、最広設定に調節されるとき、最大子供のための最小限のバケットシートの深度面積を提供する役割を果たし得る。主要パネルの幅の調節はまた、子供を外向きの配向または内向きの配向で搬送するためのキャリアを構成する役割を果たし得る。
【００４３】
ある実施形態のキャリアはまた、高さを調節するように構成されてもよい。ある実施形態では、中心におけるウエストベルトの上部縁から中心におけるキャリアの上部縁までの物理的キャリアの長さは、一貫したままであるが、しかしながら、装着可能高さは、バケットシートサイズの設定に応じて変化する。基部幅がその最小／最狭設定にあると、バケットシートは、より深く、キャリア長さ測定値の多くを消費し、したがって、装着可能高さのために殆ど測定値を残さない一方、基部幅がその最大／最広設定にあると、バケットシートは、浅く、キャリア長さ測定値をあまり消費せず、したがって、装着可能高さのためにより多くの測定値を残す。
【００４４】
そのようなキャリアの実施形態はまた、調節可能頸部支持体を含んでもよい。そのような頸部支持体またはカラーは、子供が面している方向、子供のサイズ、または他の基準に従って位置付けられてもよい。調節可能頸部支持体は、頸部支持体が延在されてもよく、キャリアの中心高さを増加させ、子供のための付加的背中または頸部支持体を与える（子供のサイズに応じて）ように、主要パネルに対して回転可能であってもよい。頸部支持体はまた、装着者から離れるように折り返され、キャリアの高さを低減させてもよい（例えば、非乳児子供のために）。頸部支持体はまた、子供搬送面積の内側に常駐し、乳児または他の子供に付加的頭部もしくは頸部支持体を与え得るように、キャリアの中に装着者に向かって折り下げられてもよい。
【００４５】
調節可能チャイルドキャリアは、子供が種々の配向において搬送されているとき、子供の腰部、骨盤、臀部、および両上腿を支持しながら、広範囲のサイズの子供を正面、背面、または側面搬送位置に収容するように構成されることができる。例えば、本明細書に開示されるようなチャイルドキャリアの実施形態は、新生児（乳児）（例えば、約７ポンド）と、加えて、最大約４５ポンド以上の重さまでの子供とに使用可能な調節可能チャイルドキャリアを提供し得る。実施形態は、したがって、付加的乳児用インサートの使用を伴わずに乳児を搬送するように適切に定寸され得る。そのような設定に従って構成されると、キャリアは、乳児の膝が上昇された状態で、チャイルドキャリアの子供搬送面積内における子供の設置のために適合され得る。一実施形態では、乳児に適応するように調節されると、キャリアは、乳児の大腿部を冠状面から９０〜１２０度の角度に伴った位置に乳児を支持するように適合される。加えて、キャリアは、乳児の膝を正中面から４５〜６０度に伴った位置に乳児を支持するように適合されることができる。特定の実施形態では、キャリアは、蹲踞位置を助長するように適合されることができる。
【００４６】
別の側面によると、チャイルドキャリアは、子供を支持し、子供の骨盤および腿を好ましい人間工学的位置に維持するように、子供が複数の配向（例えば、内向きおよび外向き）において搬送されることを可能にするように提供される。説明される実施形態は、子供が外向きの配向（すなわち、子供を搬送する人物から外方に面した）または内向きの配向（すなわち、子供を搬送する人物に向かって面した）において搬送されることを可能にし、さらに、子供が、子供を搬送する人物の正面または背面もしくは側面において搬送されることを可能にする。特に、本明細書に説明される実施形態は、外向きの配向および内向きの配向の両方において、子供の臀部、骨盤、および腿を所望の位置において支持する、キャリアを提供する。キャリアは、子供の体重が、それぞれ、正面、背面、または側面位置において、装着者の重心近傍かつ装着者の正面、背面、または側面に近接して搬送される状態で、装着者の正面、背面、または側面において、ユーザによって装着されることができる。
【００４７】
キャリアは、装着者のためにも同様に人間工学的であることができる。詰め物が入れられたウエストベルトは、腰椎支持を提供し得、体重を装着者に均一に分散させながら、キャリアを正面、側面、または背面搬送位置に位置付けることができる、構成可能ハーネスを形成し得る、ショルダストラップ（キャリアの同側または両側に取り付けられ得る）と協働し得る。キャリアは、子供が、子供の体重を均一に分散させる、装着者の重力中心に近接して位置付けられるように調節されてもよい。いくつかの実施形態では、ハーネスは、子供の体重の大部分が装着者の腰部に伝達されるように調節されてもよい。
【００４８】
一実施形態によると、チャイルドキャリアは、装着者の腰部のまわりに固着するために適合される、ウエストベルトと、ウエストベルトに結合される、主要本体とを含み、主要本体は、装着者の胴体と協働して、子供搬送面積を形成するように適合される。主要本体は、少なくとも子供の胴体を支持するために構成される、胴体支持部分と、複数のバケットシート構成に構成可能な調節可能バケットシートとを含むことができ、複数のバケットシート構成はそれぞれ、異なるバケットシート深度およびバケットシート幅を有し、対応するサイズ範囲内の子供を蹲踞位置において支持するように適合される。一実施形態では、複数のバケットシート構成は、乳児用インサートを伴わずに、乳児を蹲踞位置において支持するように適合される構成を備える。複数のバケットシート構成は、小児を蹲踞位置において支持するように適合される、構成を含んでもよい。
【００４９】
一実施形態によると、主要本体は、シート部分と、シート部分の両側に配置される、腿支持ストラップとを含んでもよい。各腿支持ストラップは、複数の位置においてウエストベルト（または他の構造）に選択的に結合するために構成される、内向き端部部分と、複数の位置において上側胴体支持体（または他の構造）に選択的に結合するために構成される、外向き端部部分とを有してもよい。腿支持ストラップが、上側胴体支持体およびウエストベルトに結合されると、シート部分および腿支持ストラップは、協働して、調節可能バケットシートを形成し、子供を人間工学的蹲踞位置において支持する。シート調節部の形状は、腿支持ストラップの内向き端部部分および外向き端部部分がウエストベルトおよび上側胴体支持体に結合される、位置に依存する。キャリアは、背面搬送位置、正面搬送位置、および側面搬送位置を含む、複数の位置と、内向きおよび外向きを含む、複数の配向とにおいて、子供を人間工学的蹲踞位置において支持するように構成可能であることができる。
【００５０】
チャイルドキャリアは、バケットシートの膨隆を制御するように適合される、１つ以上の布地成形部材を含んでもよい。一実施例として、布地成形部材は、腿支持体とシート中心部分との間に配置される、襠を備えてもよく、襠は、基部幅アジャスタの調節に応答して開閉するように適合される、ダーツとして作用する。腿支持ストラップは、最大バケットシート深度に対応する第１の設定および最小バケットシート深度に対応する第２の設定において構成可能であってもよく、ダーツまたは他の布地成形部材は、第１の設定に対応する第１の形状と、第２の設定に対応する第２の形状とを有する。
【００５１】
本明細書に説明される実施形態は、人間工学的バケットシートが、新生児から小児へと成長する赤ちゃんに対して徐々に調節し、赤ちゃんが、複数の成長段階において、人間工学的蹲踞、すなわち、自然な「Ｍ形状」位置に着座されることを確実にするため、以前のキャリアに優る利点を提供する。
【００５２】
付加的利点として、本明細書に説明される実施形態は、シート形状を変更するための構造をキャリアに追加する、またはそこから除去することを要求しない、調節可能シート形状を提供することができる。例えば、いくつかの実施形態は、乳児のための乳児用インサートを要求せずに、乳児およびより大きい子供を収容することができる。
【００５３】
本明細書に説明される実施形態は、パネルをシートに追加する、またはそこから除去せずに、キャリアシート形状が容易に調節されることを可能にすることによって、別の利点を提供することができる。
【００５４】
本明細書に説明される実施形態は、キャリアの全長を延在させるための複雑な機構を要求せずに調節され得る装着可能長さを伴う、キャリアを提供することによって、別の利点を提供することができる。
【００５５】
本明細書に説明される実施形態は、同一キャリアが内向きにおよび外向きの配向の両方を少なくとも１つの位置において支持することを可能にすることによって、別の利点を提供する。
【００５６】
図１は、装着者の胴体上に装着される、多位置多配向調節可能キャリア１００の外側図の一実施形態の概略表現である。調節可能キャリア１００は、種々の位置に装着され、子供を外向きにおよび内向きの配向において人間工学的に支持し得る。図２は、子供が外向きの（装着者から外方に面した）配向において支持されている、正面搬送位置に装着される調節可能チャイルドキャリア１００の一実施形態の側面図である。すなわち、キャリアは、図２では、「正面外向きの」構成に構成される。図３は、子供が内向きの（装着者に向かって面した）配向において支持されている、正面搬送位置に装着される調節可能チャイルドキャリア１００の一実施形態の側面図である。すなわち、キャリアは、図３では、「正面内向きの」構成に構成される。図４は、子供が内向きの配向において支持されている、背面搬送位置に装着される調節可能チャイルドキャリア１００の一実施形態の側面図の概略表現である（「背面内向きの」構成）。図５は、子供が内向きの配向において支持されている、側面搬送（または腰部搬送）位置におけるチャイルドキャリアの一実施形態の概略表現である（「側面内向きの」構成）。図６Ａおよび図６Ｂ（集合的に、「図６」）はそれぞれ、調節可能キャリア１００の実施形態の内側図（装着者側）および外側図の概略表現である。図７Ａおよび図７Ｂ（集合的に、「図７」）は、種々の構成におけるキャリア１００の一実施形態の一部の概略表現である。図８Ａ、図８Ｂおよび図８Ｃ（集合的に、「図８」）は、複数の構成におけるキャリア１００の基部幅アジャスタの一実施形態の概略表現である。図９Ａおよび図９Ｂ（集合的に、「図９」）は、複数の構成におけるキャリア１００の上部幅調節部の一実施形態の概略表現である。
【００５７】
図６を参照すると、調節可能キャリア１００は、ウエストベルト１１５に結合される、主要本体１１０を備える。主要本体１１０は、上側胴体支持部分１３０と、シート部分１２０と、腿支持ストラップ１４０（個々に、腿支持ストラップ１４０ａ、１４０ｂとして示される）とを含む。キャリア１００はまた、ショルダストラップ１９０（個々に、肩部ストラップ１９０ａおよび肩部ストラップ１９０ｂとして示される）と、チェストストラップ１９５とを含んでもよい。子供は、装着者の胴体と協働する主要本体１１０によって作成された子供搬送面積内に支持されることができる。胴体支持部分１３０は、キャリア１００内に居る間、子供の上半身を支持するように構成される一方、シート部分１２０は、調節可能腿支持ストラップ１４０と協働し、子供の脚部および腰部を人間工学的に位置付けるように構成可能な調節可能バケットシートを形成する。ウエストベルト１１５およびショルダストラップ１９０は、子供の体重を装着者に分散させる、ハーネスを提供する。チェストストラップ１９５は、ある構成において左および右ショルダストラップをともに固着させるために使用されることができる。
【００５８】
図示される実施形態では、シート部分１２０は、側方縁１２６ａ、１２６ｂを備える、シート中心部分１２２と、ウエストベルト１１５またはキャリア１００の他の部分に結合される、第１の端部部分と、胴体支持部分１３０に結合される、第２の端部部分とを備える。シート中心部分１２２の側方外側縁１２６ａ、１２６ｂは、直線、湾曲、または側方にテーパ状であってもよい。シート中心部分１２２は、単一材料片から形成されてもよい、または複数の材料片、複数の材料層、もしくは複数の材料から形成されてもよい。胴体支持部分１３０とシート中心部分１２２との間の合流点は、実質的にシームレスな遷移であってもよい。例えば、一実施形態では、中心パネルは、シート中心部分１２２および上側胴体中心パネルが、１つ以上の材料層の一体型構造を備えるように、シート中心部分１２２および胴体中心パネルを形成してもよい。他の実施形態では、合流点は、上側胴体支持部分１３０とシート中心部分１２２との間を隔てる、継目、縁、または他の特徴を含んでもよい。
【００５９】
腿支持ストラップ１４０は、シート中心部分１２２の両側に提供されることができる。各腿支持ストラップ１４０ａ、１４０ｂは、個別の側方外側縁１４２ａ、１４２ｂ（例えば、側方外側縁１４２ａ、１４２ｂ）と、個別のストラップ１４０ａ、１４０ｂの第１の端部部分から第２の端部部分に延在する、側方内側縁１４４ａ、１４４ｂとを含むことができる。第１の端部部分は、キャリアが装着されると、第２の端部部分より内向きになる（装着者により近くなる）。各腿支持ストラップ１４０ａ、１４０ｂの第１の端部部分は、複数の位置において、ウエストベルト１１５または他の構造に選択的に結合されることができ、腿支持ストラップの第２の端部部分は、複数の位置において、胴体支持部分１３０または他の構造に結合されることができる。
【００６０】
シート部分１２０および腿支持ストラップ１４０は、子供搬送面積の外側（装着者の胴体から外方に向いた側）から内側に通過し、支持および調節可能バケットシートを形成するように適合される。支持および調節可能バケットシートは、内側から外側および右から左に略凹面（例えば、「Ｃ」形状）内側外形を有することができる。シート側縁１４２ａ、１４２ｂ（腿支持面積１４０の縁によって形成される）は、シートの中心より高くあることができ、側縁が、子供の腰部からある距離において、子供の腿の下およびその周囲を通過し、子供の脚部（例えば、膝の上方）がぶらぶらしないように離間されることができる。いくつかの実施形態では、腿支持ストラップ１４０は、付加的支持を提供してもよい。特に、ある実施形態では、腿支持ストラップ１４０は、ギャザー、弾性材料、または別のタイプの付勢材料を含んでもよい。一実施形態では、腿支持ストラップ１４０ａ、１４０ｂは、腿詰め物１４１ａ、１４１ｂの面積を外側縁１４２ａ、１４２ｂに近接して提供し、子供の腿を支持する。
【００６１】
チャイルドキャリア１００は、単独で、または協働して、チャイルドキャリアによって提供されるバケットシートの形状を調節するように作用する、１つ以上の調節点を含んでもよい。これらの調節点は、シート上部幅、シート基部幅、シートバケット深度、およびシート高を調節するように構成されることができる。この目的を達成するために、キャリア１００は、腿支持ストラップ１４０の第１の端部部分および第２の端部部分を複数の場所に解放可能に固着させるための固着機構を含むことができる。固着機構は、限定ではないが、ボタン、スナップ、ｄリングおよびクリップまたはフック、フックおよびループ材料のパッチ、または他の固着機構等の任意の好適な機構を含むことができる。いくつかの実施形態では、固着機構は、キャリア１００が装着されると、各腿支持ストラップの第２の端部（装着者から離れた端部）が第１の端部より高くなるように構成される。
【００６２】
バケットシートは、子供が成長するにつれて調節され、子供の骨盤、臀部、および腿が全て支持された状態で、子供を子供の体重またはサイズに適切な人間工学的蹲踞位置において支持することができる。人間工学的蹲踞位置（「カエル足」、「カエル」、「蹲踞開脚」、または「Ｍ」位置としても知られる）では、股関節における撓曲は、冠状面から、少なくとも９０°、ある場合には、１１０°〜１２０°であって、開脚角度は、正中面から平均約４５〜５５°であることができる。キャリア１００が調節可能であるため、股関節および開脚の角度は、キャリア１００の設定および子供の発達段階に依存し得る。
【００６３】
一実施形態では、キャリアは、子供の大腿部を冠状面から約９０°〜１２０°（または他の上昇位置）に伴う位置に子供を支持し、子供の膝をある開脚量を伴って位置付けるように適合されることができる。開脚の量は、子供の発達段階および配向に依存し得、新生児は、最終開脚が約４０°〜４５°であるように、３０°未満、次いで、約３０°、次いで、約３５°〜４０°等を有するが、他の開脚の量（例えば、約５５°を含む）が、達成されてもよい。一実施形態では、開脚は、正中面から少なくとも２０°度であってもよい。子供の体重は、仙骨があまりに多くの体重を支承せず、子供が、骨盤発達により良好であると考えられる、より自然な湾曲「Ｃ」背骨を蹲踞位置に静置し得るように、子供の臀部、腿、および背中を横断して分散されることができる。しかしながら、子供は、好ましくは、子供が、主に、その仙骨で着座している場合の姿勢ではなく、支持姿勢を強調する、任意の快適な位置に位置付けられることができることに留意されたい。
【００６４】
一実施形態によると、キャリア１００は、腿支持ストラップ１４０ａ、１４０ｂの第１の端部をウエストベルト１１５に選択的に結合するための基部幅調節部を備える。図示される実施形態では、基部幅アジャスタは、各腿支持ストラップ１４０ａ、１４０ｂに結合される、基部幅アジャスタ１５０ａ、１５０ｂを備える。基部幅アジャスタ１５０ａ、１５０ｂは、腿支持ストラップ１４０に結合され、順に、ウエストベルト１１５に解放可能に固着され得る、フラップまたはタブを備えてもよい。図示される実施形態では、基部幅アジャスタ１５０ａ、１５０ｂは、同一腿支持体ストラップの一部によって、個別の腿支持ストラップ１４０ａ、１４０ｂに結合されるが、他の構成もまた、使用されてもよい。いずれの場合も、基部幅アジャスタ１５０は、ウエストベルト１１５に選択的に結合され、主要本体１１０の腿支持ストラップ１４０をウエストベルト１１５に結合することができる。
【００６５】
基部幅調節部は、ウエストベルト１１５に接続する、主要本体１１０の基部の幅を調節するために使用されることができる。フックおよびループ材料、ボタン、スナップ、ジッパ等の基部幅アジャスタ１５０ａ、１５０ｂの締結機構１５１は、ウエストベルト１１５上の対応する解放可能締結機構１１７と協働し、腿支持面積１４０をウエストベルト１１５に結合することができる。解放可能締結機構１１７、１５１は、基部幅アジャスタ１５０ａ、１５０ｂが、複数の位置において、またはある範囲の位置全体を通して、ウエストベルト１１５に結合され得るように構成される。したがって、ウエストベルト１１５に近接するバケットシートの幅は、基部幅アジャスタ１５０ａ、１５０ｂがウエストベルト１１５に固着される、位置を変化させることによって調節されることができる。例えば、基部幅アジャスタ１５０ａ、１５０ｂの臀部端部を内側寄りに側方に移動させる（基部幅アジャスタ１５０ａ、１５０ｂを内向きに回転させる）ことは、主要本体１１０がウエストバンド１１５と衝合する点における主要本体１１０の幅を減少させ、腿支持ストラップ１４０ａ、１４０ｂが子供の腿の下を通過する、バケットシートの幅を減少させる役割を果たし得る。基部幅アジャスタ１５０ａ、１５０ｂの端部を外側寄りに側方に移動させる（基部幅アジャスタ１５０ａ、１５０ｂを側方外向きに回転させる）ことは、ウエストベルト１１５に結合される、主要本体１１０の幅を増加させ、腿支持ストラップ１４０ａ、１４０ｂが子供の腿の下を通過する、バケットシート幅を増加させ得る。
【００６６】
基部幅調節部は、バケットシートの深度を制御するために使用されることができる。最小（または最狭）基部幅設定では、基部幅アジャスタ１５０は、ウエストベルト１１５の中心軸に向かって相互に最大限に近接するように（可能性として考えられる位置の範囲または数を前提として）、ウエストベルト１１５に締結されてもよい。本最小基部幅設定では、キャリア１００は、シートバケットの深度が最大となり得るように構成される。最大（または最広）基部幅設定では、基部幅アジャスタ１５０は、ウエストベルト１１５の中心軸から相互に最大限に遠位に離れるように（可能性として考えられる位置の範囲または数を前提として）、ウエストベルト１１５に締結されてもよい。本最大（または最広）基部幅設定では、キャリア１００は、バケットシート１２５の深度が最小になり得るように構成される。
【００６７】
図７および図８をさらに参照すると、シート部分１２０は、１つ以上の成形部材を含み、バケットシートの成形を促進してもよい。一実施形態では、バケットシート部分１２０は、腿支持ストラップ１４０ａ、１４０ｂの個別の内側縁１４４ａ、１４４ｂとシート中心部分１２２の側方外側縁１２６ａ、１２６ｂとの間の間隙に及ぶ襠１７０ａ、１７０ｂを襠内側縁と襠外側縁との間に含む。襠１７０ａ、１７０ｂは、側方外側縁１２６ａ、１２６ｂまたはそこに近接してもしくは他の場所においてシート中心部分１２２に締結される、内側縁と、側方内側縁１４４ａ、１４４ｂまたはそこに近接してもしくは個別の腿支持ストラップ１４０ａ、１４０ｂの中心の近傍等の他の場所において個別の腿支持ストラップ１４０ａ、１４０ｂに締結される、襠外側縁とを有してもよい。襠１７０ａ、１７０ｂは、遊離上部縁１７２ａ、１７２ｂ（胴体支持部分１３０に近接する縁）と、遊離縁１７４ａ、１７４ｂ（ウエストベルト１１５に近接する縁）とを有してもよい。
【００６８】
襠は、開閉され、襠を収集または解放し得る、縁を伴う、ダーツとして作用することができる。特に、腿支持ストラップ１４０ａ、１４０ｂの第２の端部が、キャリア１００に締結され、シート中心部分１２２と腿支持ストラップ１４０ａ、１４０ｂとの間の角度または分離を減少させる、基部幅アジャスタ１５０ａ、１５０ｂおよび／または位置を調節することによって、ダーツ脚部は、閉鎖され、ダーツは、深くされることができる。その結果、バケットシートは、さらに膨隆され、より深い曲線をとることができる。逆に言えば、腿支持ストラップ１４０ａ、１４０ｂの第２の端部が、キャリア１００に締結され、シート中心部分１２２と腿支持ストラップ１４０ａ、１４０ｂとの間の角度または分離を増加させる、基部幅アジャスタ１５０ａ、１５０ｂおよび／または位置の調節は、襠を開放し、襠部分１７０ａ、１７０ｂによって形成される形状をより浅くする。その結果、キャリア１００によって形成されるバケットシートは、より浅くなるであろう。任意の好適な成形機構が、バケットシートの完全度を制御するために使用されることができ、限定ではないが、ダーツ、プリーツ、ギャザー、またはタックを含む。
【００６９】
図７−８は、基部幅調節部の一実施形態の動作を図示する。図７は、ある特徴をより良好に図示するために垂直に伸張されたキャリア１００を図示する一方、図８は、バケット内により深度を伴う、キャリア１００を図示する。基部幅アジャスタ１５０ａ、１５０ｂは、主要本体１１０の側方中心線の両側に対してウエストベルト１１５に固着され、腿支持ストラップ１４０ａ、１４０ｂが子供の腿を支持する、キャリア１００の幅を調節することができる。図示される実施形態では、フックおよびループ材料が、ウエストベルト１１５と装着者との間に狭入されるウエストベルト１１５の側において、基部幅アジャスタ１５０ａ、１５０ｂをウエストベルト１１５に解放可能に固着させるために使用される。これは、基部幅アジャスタ１５０ａ、１５０ｂに対する圧力のため、使用時、フックおよびループ材料の保持を増加させることができる。
【００７０】
各基部幅アジャスタ１５０ａ、１５０ｂは、複数の位置において（いくつかの位置が、１５４ａ、１５４ｂ、１５６ａ、１５６ｂ、１５８ａ、１５８ｂとして示される）、ウエストベルト１１５に固着されることができる。これらの位置は、子供の特定のサイズ範囲に対応し得る。図８Ａでは、基部幅アジャスタ１５０ａ、１５０ｂは、最大（または最広）基部幅設定に対応する、位置１５４ａ、１５４ｂに固着される（また、図７Ａ参照）。図８Ｂでは、基部幅アジャスタ１５０ａ、１５０ｂは、中間基部幅位置１５６ａ、１５６ｂに固着される（また、図７Ｂ参照）。図８Ｃでは、基部幅アジャスタ１５０ａ、１５０ｂは、最小（最狭）基部幅設定に対応する、位置１５８ａ、１５８ｂに固着される。
【００７１】
８Ａを参照すると、基部幅アジャスタ１５０ａ、１５０ｂは、最大（または最広）基部幅設定に対応する、位置１５８ａ、１５８ｂに固着される。本構成では、腿幅ストラップ１４０ａ、１４０ｂの側方内側縁１４４ａ、１４４ａは、中心部分１２２の個別の側方外側縁１２６ａ、１２６ｂから離れるように拡散される。言い換えると、襠１７０ａ、１７０ｂは、開放され、襠の側方外側縁１７６ａ、１７６ｂと個別の襠の側方内側縁との間の襞を解放し、より少ない形状（曲線）を襠１７０ａ、１７０ｂに生成する。襠の側方内側縁は、図示される実施形態では、中心部分１２２の側方外側縁１２６ａ、１２６ｂに継合されるが、縁１２６ａ、１２６ｂの内方等、別の場所に位置してもよい。相互に最大限に遠位である（基部幅アジャスタ１５０ａ、１５０ｂをウエストベルト１１５に結合するための可能性として考えられる設定の範囲を前提として）ように、基部幅アジャスタ１５０ａ、１５０ｂをウエストベルト１１５に締結することによって、襠部分１７０ａ、１７０ｂが比較的に平坦のままであるように、張力が襠１７０ａ、１７０ｂの外側縁に維持され得る。したがって、バケットシートは、比較的に平坦またはあまり成形されていない構成に維持され、バケットシートの深度を最小限にする役割を果たし得る。
【００７２】
図８Ｃを参照すると、基部幅アジャスタ１５０ａ、１５０ｂは、ウエストベルト１１５の中心軸に向かって相互に最大限に近接するように（可能性として考えられる位置の範囲または数を前提として）、ウエストベルト１１５に締結される。しかしながら、腿支持ストラップ１４０ａ、１４０ｂの側方内側縁１４４ａ、１４４ｂは、シート中心支持部分１２２の側方外側縁１２６ａ、１２６ｂに近接して引っ張られる（かつ中心部分１２２に重複し得る）ため、襠部分１７０ａ、１７０ｂは、深く湾曲した襞を形成する。換言すると、相互に最大限に近接するように、基部幅アジャスタ１５０ａ、１５０ｂをウエストベルト１１５に締結することによって、襠部分１７０ａ、１７０ｂの側方外側縁１７６ａ、１７６ｂは、襠部分１７０ａ、１７０ｂの側方内側縁に向かって引っ張られ、対応するより大きな湾曲またはダーツ形状を襠部分１７０ａ、１７０ｂに生成し得る。これは、バケットシートを成形し、バケットシートの深度部分を増加させる役割を果たす。
【００７３】
腿支持ストラップ１４０ａ、１４０ｂの上部端部が固着された状態で、基部幅アジャスタ１５０ａ、１５０ｂは、図示されるように、本質的に、それらが調節されるにつれて、枢動点から回転することに留意されたい。したがって、取付位置の側方位置のみが変化するのではなく、垂直位置も同様に変化する（例えば、基部幅アジャスタ１５０ａのための位置１５４ａ、１５６ａおよび１５８ａは、側方および垂直の両方に、相互から変位され、基部幅アジャスタ１５０ｂのための位置１５４ｂ、１５６ｂ、１５８ｂは、側方および垂直の両方に、相互から変位される）。このような回転運動の使用は、所与の側方変化のために、バケット深度により大きな変化を提供する。しかしながら、他の実施形態は、より線形運動を使用し得る（例えば、取付位置が水平に整合される）。さらに、位置１５４ａ、１５４ｂ、１５６ａ、１５６ｂ、１５８ａ、１５８ｂは、一例として、提供される。図示される実施形態では、基部幅アジャスタ１５０ａ、１５０ｂは、位置の連続範囲内で締結機構１１７に結合されることができる。他の実施形態は、離散取付点を提供してもよい。
【００７４】
基部幅アジャスタ１５０ａ、１５０ｂは、主に、ウエストベルト１１５に近接するシートの幅を調節する。しかしながら、ウエストベルト１１５から離れて移動すると、シート（縁１４２ａ、１４２ｂ）は、拡開してもよい。腿幅アジャスタ（図示せず）は、ウエストベルト１１５から離れるシートの幅を調節するために提供されてもよく、上部幅調節部は、シートの上部幅を調節するために提供される。特に、腿幅アジャスタは、腿支持ストラップ１４０ａ、１４０ｂの縁１４２ａ、１４２ｂが子供の腿の下を通過する、バケットシートの幅を調節するように適合されてもよい。腿幅アジャスタは、腿支持ストラップ１４０ａ、１４０ｂが、子供の膝を越えて延在しないように、腿支持ストラップ１４０ａ、１４０ｂを引き寄せ、したがって、腿支持ストラップ１４０ａ、１４０ｂが、子供の脚部を直線にしないように、または子供の脚部を過度に開脚させないように防止するために使用されることができる。
【００７５】
一実施形態によると、各腿幅アジャスタは、第１の端部において個別の腿支持幅ストラップ１４０に結合され、主要本体１１０（例えば、シート中心部分１２２または他の場所）に選択的に結合され得る、第２の端部を含む、材料片（ウェビングまたは他の材料）であってもよい。腿幅アジャスタは、各側に１つずつの引きひもシステムとして作用し、腿支持ストラップ１４０を側方に内向きに引動させ、それによって、子供の腿におけるキャリア１００の幅をさらに調節することによって、キャリア１００の幅を腿レベルで調節することができる。腿幅アジャスタのいくつかの実施形態は、「Ａｄｊｕｓｔａｂｌｅ  Ｃｈｉｌｄ  Ｃａｒｒｉｅｒ  ｗｉｔｈ  Ｍｕｌｔｉｐｌｅ  Ｃａｒｒｙ  Ｏｒｉｅｎｔａｔｉｏｎ」と題され、２０１６年１０月２８日に出願された米国仮出願第６２／４１４，５６４号、および「Ａｄｊｕｓｔａｂｌｅ  Ｃｈｉｌｄ  Ｃａｒｒｉｅｒ」と題され、２０１６年１０月２８日に出願された米国特許出願第１５／３３７，８１３号（あらゆる目的のために、参照することによってその全体として完全に本明細書に組み込まれる）に説明される。
【００７６】
図９に目を向けると、キャリア１００はさらに、ストラップ１４０の第２の端部部分をキャリア１００に選択的に結合するための複数の取付点を提供する、上部幅調節部を含む。例えば、胴体部分１３０は、各腿支持ストラップ１４０が複数の場所において選択的に固着され得るように、ボタンまたは他の解放可能固着機構をキャリア１００の側方中心線の各側に含む。腿支持ストラップ１４０の第２の端部は、キャリアが装着されると、必要に応じて、固着および固着解除されてもよい。固着機構は、限定ではないが、ボタン、スナップ、ｄリングおよびクリップまたはフック、フックおよびループ材料のパッチ、または他の固着機構等の任意の好適な機構を含むことができる。一実施形態によると、固着機構は、個別の腿支持ストラップ１４０ａ、１４０ｂに結合され、胴体支持部分１３０に結合される布地またはプラスチックレールに沿って摺動し、かつそれに沿って種々の点に解放可能に係止され得る、クリップを備えることができる。固着機構は、パネル下に隠蔽または暴露されてもよい。図９の実施例では、ストラップ１４０ａは、ボタン孔１３４ａを第２の端部に近接して含み、外側ボタン１３２ａまたは内側ボタン１３３ａを介して、上側胴体部分に解放可能に締結されることができる。同様に、ストラップ１４０ｂは、ボタン孔１３４ｂをその第２の端部に近接して含み、外側ボタン１３２ｂまたは内側ボタン１３３ｂを介して、胴体部分１３０に解放可能に締結されることができる。
【００７７】
上部幅調節部は、バケットシートが、子供を内向きの配向に人間工学的に支持するために好適な内向きの構成と、子供を外向きの配向に人間工学的に支持するために好適な外向きの構成とに構成可能であるように適合される。腿支持ストラップ１４０の第２の端部を相互から最大限に遠位に（選択可能位置の範囲内において）固着することは、子供を内向きの配向に人間工学的に支持するように適合される、内向きの構成に対応し得る一方、腿支持ストラップ１４０の第２の端部を相互に最大限に近接して（選択可能位置の範囲内において）固着することは、子供を外向きの配向に人間工学的に支持するように適合される、外向きの構成に対応し得る。図９では、例えば、外側ボタン１３２ａ、１３２ｂは、内向きの構成を提供するように位置付けられ、内側ボタン１３３ａ、１３３ｂは、外向きの構成を提供するように位置付けられる。
【００７８】
腿支持ストラップ１４０ａ、１４０ｂの第１の端部部分および第２の端部部分は、したがって、子供の膝が持ち上げられるように、子供の腿の下およびその周囲を通過する腿支持ストラップ１４０ａ、１４０ｂの部分が、子供の臀部より高い、子供の腰部からある距離において、腿支持ストラップ１４０が、子供の腿の下およびその周囲を通過するように調節され得る。腿支持ストラップ１４０ａ、１４０ｂは、子供の腿が腿支持ストラップ１４０ａ、１４０ｂまたは装着者の胴体によって開脚するように促され得るように、十分な堅度を有することができる。
【００７９】
前述から理解され得るように、基部幅調節部および上部幅調節部は、キャリア１００を調節するように協働して機能してもよい。一実施形態によると、基部幅アジャスタ１５０は、シート深度を調節し、シート幅のための大まかな調節を提供するために使用されることができる。腿幅アジャスタは、提供される場合、基部幅アジャスタ１５０によって提供される大まかな調節の範囲内の幅のための細かい調節としての役割を果たし得る。さらに、上部幅調節部は、シート縁１４２ａ、１４２ｂの角度または分離を調節し、シートの形状が調節されることを可能にすることができる。例えば、第１のシート形状は、内向きの位置における子供にとってより快適であり得る一方、第２のシート形状は、外向きの位置における子供にとってより快適であり得る。
【００８０】
キャリア１００はまた、キャリア１００の他の設定に基づいて、高さを調節してもよい。特に、基部幅アジャスタ１５０の調節は、装着可能背面高さ（バケットシートの底部から主要本体１１０の上部縁１３８までの長さ）を調節する。これは、装着可能背面高さがバケットシートサイズの設定に応じて変化するように、中心におけるウエストベルト１１５の上部縁１１６から中心における主要本体１１０の上部縁１３８までの物理的キャリア材料の長さが一貫したままであるために生じる。バケットを消費する深さが深いほど、縁１１６と１３８との間の材料の長さがより長くなり、したがって、装着可能高さのために殆ど測定値を残さない一方、バケットを消費する深さが浅いほど、材料縁１１６と１３８との間の長さがより短くなり、したがって、装着可能高さのためにより多くの測定値を残す。
【００８１】
図１０Ａ、１０Ｂ、および１０Ｃ（集合的に、図１０）は、種々のサイズの子供に適応するように調節される、キャリア１００の一実施形態の概略表現である。図１０Ａ−１０Ｃでは、上部幅調節部は、図９Ａに描写されるように設定される。図１０Ａは、図８Ａの最小基部幅設定に対応し、図１０Ｂは、図８Ｂの中程度の基部幅設定に対応し、図１０Ｃは、図１０Ｃの最大基部幅設定に対応する。基部幅アジャスタ１５０の調節を通して、シートバケットの幅および深度（深度２０２によって示される）が、構成されることができる。さらに、背中を支持するために利用可能なキャリア１００の材料の長さは、シートの深度に依存するため、基部幅アジャスタ１５０の調節はまた、キャリア１００の最小装着可能高さ２０４を調節する。図１０に図示されるように、キャリア１００の装着可能高さ２０４は、バケット深度の減少に伴って増加する。
【００８２】
全ての設定が小さい赤ちゃんのために設定される状態では、シート中心部分１２２、襠部分１７０、および腿支持ストラップ１４０は、協働し、図１０Ａに図示されるように、深いバケットシートを形成する。腿（膝の下）により高い壁を伴う、深いバケットシートは、子供の膝（線２１０によって示される）を適切な蹲踞位置まで持ち上げ、ｃ−形状（線２１２によって示される）への背中の丸まりを助長する傾向にある。さらに、バケットシートが深いほど、装着可能高さ２０４は短くなる。したがって、図１０Ａの構成は、乳児に好適であり得る。子供が成長するにつれて、子供の脊椎は、自然に直線になるはずであって、子供は、あまり膝支持を要求しないであろう。基部幅アジャスタ１５０は、バケットシートを広げ、付加的背中支持長さを提供し、子供が背筋を伸ばすことを支援するように調節されることができる。図１０Ｂおよび図１０Ｃに示されるように、例えば、バケットシートは、あまり膝の持ち上げを提供しないが、適切な蹲踞位置を維持するために十分であって（例えば、図１０Ｂにおけるより成長した赤ちゃんおよび図１０Ｃにおける小児のため）、子供が背筋を伸ばした状態で静止することを可能にするように調節されてもよい。
【００８３】
したがって、最小子供モード（例えば、乳児モード）（その最小／最狭設定における基部幅）に調節されると、バケットシート１２５は、より深くなり、キャリア長さ測定値の多くを消費し、したがって、装着可能高さのために殆ど測定値を残し得ない（中心におけるバケットシートの底部から胴体支持部分１３０の上部縁１３８までの長さ）。キャリアは、新生児のために、内向きの構成のままであることが好ましくあり得ることに留意されたい。最大子供モード（例えば、小児モード）（その最大／最広設定における基部幅）に調節されると、バケットシートは、浅くなり、キャリア長さ測定値を殆ど消費せず、したがって、装着可能高さのためにより多くの測定値を残す（中心におけるバケットシートの底部からキャリア主要本体１１０の上部縁１３８までの長さ）。キャリアは、したがって、バケットシートを調節することによって、子供の身長のために調節可能である。
【００８４】
キャリア１００は、支持される範囲を通して子供のサイズにかかわらず、子供のための人間工学的支持を提供するように調節されてもよい。一実施形態によると、キャリア１００は、基部幅アジャスタ１５０がその最狭設定に設定されると、乳児のために設定されることができる。本構成では、バケットシートは、その最深深度となり、腿支持ストラップ１４０におけるより高い壁が、子供の腿および膝をより大きな角度かつそのサイズの子供のために適切な蹲踞位置まで持ち上げるであろう。同様に、キャリア１００は、基部幅アジャスタ１５０および腿幅アジャスタ１６０がその最広設定にあると、最大子供のために設定されることができる。本構成では、バケットシートは、その最浅深度となり、腿支持面積１４０におけるより低い壁は、子供の腿および膝をより小さい角度かつより大きいサイズの子供のために適切な蹲踞位置に持ち上げ得る。図２は、シートもまた、例えば、上部幅が図９Ｂに図示されるように設定されると、子供の腿を外向きの位置に人間工学的に支持するために調節されてもよいことを図示する。
【００８５】
したがって、調節可能バケットシートは、異なるシートバケット深度およびシートバケット幅を有する複数の構成において構成可能である。異なる構成は、対応するサイズ範囲内の子供を蹲踞位置において支持するように適合されることができる。例えば、一実施形態では、バケットシートは、２０〜２４インチの子供（概して、０〜３ヶ月および７ポンドを上回る乳児に対応する）を、乳児用インサートを要求せずに、乳児のために適切な蹲踞位置において人間工学的に搬送するように適合される、第１の構成を有することができる。さらに、キャリアは、２４〜２８インチの子供（概して、３〜９ヶ月のより高齢児に対応する）をその子供のサイズに適切な蹲踞位置において人間工学的に搬送するように適合される、第２の構成を有することができる。加えて、キャリアは、本実施例では、２８インチ以上の子供（概して、９〜４８ヶ月のより高齢児または小児に対応する（キャリアまたは装着者の最大搬送容量））を人間工学的に搬送するように適合される、第３の構成を有することができる。第１の構成は、最狭設定（最深バケットシート）（乳児モード）における基部幅に対応することができ、第２の構成は、中程度の設定における基部幅に対応することができ、第３の構成は、最広設定（最浅バケットシート）（小児モード）における基部幅に対応することができる。上記に提供される範囲は、一例として提供され、限定ではないことに留意されたい。
【００８６】
さらに、シートは、図２に図示されるように、第４の構成を有してもよい。第４の構成は、第１の構成、第２の構成、または第３の構成未満のバケットシート上部幅を有する。例えば、第１、第２、および第３の構成は、図９Ａに対応する上部幅設定を有してもよい一方、図２の構成は、図９Ｂに対応する上部幅設定を有してもよい。正面外向きの構成における基部幅は、子供のサイズに基づいて調節されてもよい。
【００８７】
ユーザは、バケットシートを調節し、子供の骨盤、臀部、および腿が全て支持された状態で、子供を子供の体重またはサイズのために適切な人間工学的蹲踞位置において支持することができる。子供の体重は、子供が、子供の体重が主に仙骨にかかるように着座するのではなく、シート内に蹲踞するように支持されることができる。子供は、膝が臀部より高い、ある場合には、９０度より高い状態で、支持されることができる。バケットシートは、子供の臀部が支持される、子供の腰部より広いスリングまたはパウチを形成するように調節されることができる。腿支持ストラップ１４０ａ、１４０ｂは、子供の腿の下およびその周囲を通過する、腿支持ストラップ１４０ａ、１４０ｂの部分が、子供の臀部より高く、子供の膝を持ち上げるように、子供の腰部からある距離において、子供の腿の下およびその周囲を通過するように調節されることができる。腿支持ストラップ１４０ａ、１４０ｂは、子供の腿が腿支持体ストラップまたは装着者の胴体によって開脚されることを促すために十分な堅度を有することができる。
【００８８】
図６に戻ると、いくつかの構成では、シートの幅は、上側胴体支持部分１３０の幅未満であってもよい。一実施形態では、シートの幅は、ショルダストラップ１９０の底部端部が上側胴体支持部分１３０に結合する、上側胴体支持部分１３０の幅より狭くてもよい。この目的を達成するために、上側胴体支持部分１３０の側方縁は、内向きにテーパ状であって、シート中心部分１２２の側方縁１２６ａ、１２６ｂに遷移し、側面脚部開口部の上部縁として作用し得る、水平、傾き、または湾曲遷移縁部分を形成してもよい。キャリア１００が装着されると、上側胴体支持部分１３０は、いくつかの構成では、遷移縁１３１ａ、１３１ｂおよびシート縁１４２ａ、１４２ｂによって形成される開口部を残しながら、子供の側面の周囲に巻着し得る。
【００８９】
キャリア１００はまた、調節可能頸部支持体１  １８０を含んでもよい。調節可能頸部支持体１８０は、キャリア１００の中心高さを増加させるように延在され、子供のための付加的背中または頸部支持体を与えてもよい（子供のサイズに応じて）。頸部支持体１８０はまた、装着者から離れるように折り返され、キャリアの高さを低減させてもよい（例えば、非乳児子供のために）。頸部支持体１８０はまた、子供搬送面積の内側に常駐し、乳児または他の子供に付加的頭部もしくは頸部支持体を与え得るように、装着者に向かって折り下げられてもよい。頸部支持体１８０のサイズ、形状、および位置は、頸部支持体１８０がキャリアの中に折り込まれるとき、頸部支持体１８０が、平均乳児の頸部の背後に嵌合し、それを支持するであろうように選択されることができる。
【００９０】
図１１Ａ、１１Ｂ、および１１Ｃは、それぞれ、内側の折り下げられた構成、延在された構成、および外側の折り下げられた構成における、調節可能頸部支持体１８０を伴う、キャリア１００の外側図の一実施形態を図示する。キャリア１００は、頸部支持体１８０を３つの位置に解放可能に固着させるための固着機構を含む。例えば、キャリア１００は、頸部支持体１８０を内側および外側に折り下げられた構成に固着させるための締結具１８１ａ、１８１ｂと、頸部支持体１８０を延在された構成に解放可能に固着させるための締結具１８２ａ、１８２ｂとを含む。
【００９１】
図１１Ａの内側の折り下げられた位置では、調節可能頸部支持体１８０は、部分的に、キャリア１００の搬送面積の内側を充填し、不十分な頭部制御を伴う乳児により多くの頭部および頸部支持を与えるように適合されることができる（また、図１０Ａ参照）。調節可能頸部支持体１８０はまた、図１１Ｂの外側の折り下げられた構成に構成され、子供が成長するにつれて、付加的容積をキャリア内に提供することができる（また、図１０Ｂ参照）。頸部支持体１８０は、図１１Ｃに図示されるように、延在されたモード（上方にひっくり返される）に構成され、中心背面長さを増加させ、小児のための付加的背中支持または非乳児のための頭部および頸部支持を与えることができる。頸部支持体１８０は、子供のサイズまたは他の基準に従って位置付けられてもよい。
【００９２】
一実施形態によると、調節可能頸部支持体１８０は、上部縁１３８に近接して主要本体１１０に継合されてもよい。結合部は、調節可能頸部支持体１８０が内側の折り下げられた構成から外側の折り下げられた構成に縁１３８をひっくり返すことを可能にする、略水平ヒンジを形成してもよい。図示される実施形態では、調節可能頸部支持体１８０は、第１の頸部支持体締結具１８１ａ、１８１ｂのセットを使用して、内側の折り下げられた構成および外側の折り下げられた構成に固着されてもよく、第１の頸部支持体締結具１８１ａ、１８１ｂのセットの上方に位置する第２の頸部支持体締結具１８２ａ、１８２ｂのセットを使用して、延在された構成に固着されてもよい。好ましくは、必ずしもではないが、頸部支持体締結具は、主要本体１１０の外側上に位置する。
【００９３】
再び図６を参照すると、ショルダストラップ１９０は、ループを形成し、キャリア１００の側方中心線の両側に取り付けるように構成されることができる。他の実施形態では、ショルダストラップは、「ｘ」構成に装着されてもよい。各ショルダストラップ１９０は、１つ以上の場所において胴体支持部分１３０に接続し、上側胴体支持部分１３０を装着者に向かって引動させてもよい。ショルダストラップはまた、ショルダストラップ１９０が胴体支持部分１３０に結合される、中心線の同一側または反対側において、腿支持ストラップ１４０またはキャリア１００の他の部分の上方のキャリア１００の主要本体１１０に結合してもよい。ショルダストラップ１９０は、調節可能であってもよく、ある場合には、正面搬送、側面搬送位置（腰部搬送）または背面搬送位置等、複数のキャリア位置を支持するように再構成されることができる。
【００９４】
ウエストベルト１１５は、腰椎支持部分１１９を有し、装着者の腰部上に静置するように構成されてもよい。好ましくは、ハーネスが、子供の体重が、装着者の腰部および肩部に均一に分散されるように、さらにより好ましくは、子供の体重が、装着者の腰部および肩部に、ある場合には、主に、肩部ではなく、装着者の腰部に均一に分散されるように構成される。ある場合には、７０パーセント以上の子供の体重が、ウエストベルト１１５を通して、装着者の腰部に分散され、それによって、装着者の快適性を助長し、装着者の疲労を減少させることができる。
【００９５】
本開示の一側面によると、キャリア１００は、構造を提供するために、詰め物、縫製、および布地を組み込む、軟質の構造化されたキャリアであることができる。上側胴体支持部分１３０、バケットシート部分１２０、および腿支持ストラップ１４０を含む、主要本体１１０は、可撓性であることができ、剛性フレームを伴わずに、主に、天然または合成繊維から形成されることができる。しかしながら、当業者によって理解されるであろうように、軟質の構造化されたキャリアのバックル、締結具等のいくつかの構成要素は、硬質プラスチック、金属、および同等物から形成されてもよい。
【００９６】
キャリア１００は、単一材料片、または複数の材料片、複数の材料層、もしくは複数の材料から形成される、１つ以上のパネルを含んでもよい。例えば、いくつかの実施形態では、上側胴体支持部分１３０は、子供の皮膚に対する快適性のために選択された内側層と、通気性、ファッション性、歪み抵抗等のために選択された外側層とともに形成されてもよい。上側胴体支持部分１３０は、直線縁、増加幅もしくは減少幅の面積のためのテーパ状縁を有する、または別様に、子供もしくはユーザの快適性または安全性のために構成されてもよい。同様に、バケットシート部分１２０は、単一材料片から形成される、１つ以上のパネルを含んでもよい、または複数の材料片、複数の材料層、もしくは複数の材料から形成されてもよい。上側胴体支持部分１３０とバケットシート部分１２０との間の合流点は、実質的にシームレスな遷移であってもよい。一実施形態では、上側胴体支持部分１３０の中心およびバケットシート部分１２０の中心は、上側胴体支持部分１３０および腿支持ストラップ１４０の側方外側部分を形成する、側面パネルに取り付けられる、（１つ以上の層の）一体型中心パネルから形成されてもよい。内側層は、子供の皮膚に対する快適性のために選択され、外側層は、通気性、ファッション性、歪み抵抗等のために選択されてもよい。いくつかの実施形態では、中心部分は、快適性のために選択され、側方部分は、通気性、安全性等のために選択されてもよい。
【００９７】
本明細書に説明される実施形態はまた、子供が外向きの配向（すなわち、子供を搬送する人物から外方に面した）または内向きの配向（すなわち、子供を搬送する人物に向かって面した）において搬送されることを可能にし、さらに、子供が子供を搬送する人物の正面または背面もしくは側面において搬送されることを可能にする。特に、本明細書に説明される実施形態は、外向きの配向および内向きの配向の両方において、子供の底部、骨盤、および腿を所望の位置において支持する、キャリアを提供する。キャリアは、子供の体重が、それぞれ、正面、背面、または側面位置において、装着者の重心近傍かつ装着者の正面、背面、または側面に近接して搬送される状態で、装着者の正面、背面、または側面において、ユーザによって装着されることができる。
【００９８】
本明細書で使用されるように、用語「ｃｏｍｐｒｉｓｅ（備える）」、「ｃｏｍｐｒｉｓｉｎｇ（備える）」、「ｉｎｃｌｕｄｅ（含む）」、「ｉｎｃｌｕｄｉｎｇ（含む）」、「ｈａｓ（有する）」、「ｈａｖｉｎｇ（有する）」、またはその任意の他の変形例は、非排他的含有を網羅することが意図される。例えば、要素のリストを備える、プロセス、物品、または装置は、必ずしも、それらの要素のみに限定されず、明示的に列挙されていない、あるいはそのようなプロセス、物品、または装置に固有の他の要素を含んでもよい。さらに、別様に示されない限り、用語「ｏｒ（または）」は、包括的「または」を指し、排他的「または」を指すものではない。例えば、条件ＡまたはＢは、以下のうちの任意の１つによって充足される：Ａは、真（または、存在）であって、Ｂは、偽（または、不在）である、Ａは、偽（または、不在）であって、Ｂは、真（または、存在）である、ならびにＡおよびＢの両方が、真（または、存在）である。本明細書で使用されるように、「ａ」または「ａｎ」（および、先行詞が「ａ」または「ａｎ」であるときは、「ｔｈｅ」）によって先行される用語は、別様に明確に示されない限り、そのような用語の単数形および複数形の両方を含む（すなわち、「ａ」または「ａｎ」の参照は、単数形のみまたは複数形のみを明確に示す）。また、本明細書の説明および全体を通して使用されるように、「ｉｎ（の中に）」の意味は、文脈によって明確に別様に示されない限り、「ｉｎ（の中に）」および「ｏｎ（の上に）」を含む。
【００９９】
加えて、本明細書に与えられる任意の実施例または例証は、いかようにも、それらがともに利用される任意の用語もしくは複数の用語の制限、限定、またはその定義を表現するものとして、見なされない。代わりに、これらの実施例または例証は、ある特定の実施形態に関して説明されており、例証にすぎないものと見なされるべきである。当業者は、これらの実施例または例証とともに利用される任意の用語もしくは複数の用語が、それとともに、または明細書のいずれかに与えられ得る、あるいは与えられない場合もある、他の実施形態を包含し、全てのそのような実施形態が、その用語または複数の用語の範囲内に含まれることが意図されることを理解するであろう。そのような非限定的実施例および例証を指定する用語として、「ｆｏｒ  ｅｘａｍｐｌｅ（例えば）」、「ｆｏｒ  ｉｎｓｔａｎｃｅ（例えば）」、「ｅ．ｇ．（例えば）」、「ｉｎ  ｏｎｅ  ｅｍｂｏｄｉｍｅｎｔ（一実施形態では）」が挙げられるが、それらに限定されない。
【０１００】
本明細書全体を通しての「ｏｎｅ  ｅｍｂｏｄｉｍｅｎｔ（一実施形態）」、「ａｎ  ｅｍｂｏｄｉｍｅｎｔ（ある実施形態）」、または「ａ  ｓｐｅｃｉｆｉｃ  ｅｍｂｏｄｉｍｅｎｔ（具体的実施形態）」、あるいは類似専門用語の参照は、実施形態に関連して説明される特定の特徴、構造、または特性が、少なくとも、一実施形態に含まれ、必ずしも、全実施形態に存在しなくてもよいことを意味する。したがって、語句「ｉｎ  ｏｎｅ  ｅｍｂｏｄｉｍｅｎｔ（一実施形態では）」、「ｉｎ  ａｎ  ｅｍｂｏｄｉｍｅｎｔ（ある実施形態では）」、または「ｉｎ  ａ  ｓｐｅｃｉｆｉｃ  ｅｍｂｏｄｉｍｅｎｔ（具体的実施形態では）」、あるいは本明細書全体を通した種々の場所における類似専門用語の個別の表出は、必ずしも、同一の実施形態を参照するわけではない。さらに、任意の特定の実施形態の特定の特徴、構造、または特性は、任意の好適な様式において、１つ以上の他の実施形態と組み合わせられてもよい。本明細書に説明および図示される実施形態の他の変形例および修正も、本明細書の教示に照らして可能であって、本発明の精神および範囲の一部として見なされるべきであることを理解されたい。
【０１０１】
本明細書における説明では、構成要素および／または方法の実施例等の多数の具体的詳細が、本発明の実施形態の完全理解をもたらすために提供される。しかしながら、当業者は、実施形態が、具体的詳細のうちの１つ以上のものを伴わずに、もしくは他の装置、システム、アセンブリ、方法、構成要素、材料、部品、および／または同等物を伴って、実践されることが可能であり得ることを認識するであろう。他の事例では、周知の構造、構成要素、システム、材料、または動作は、本発明の実施形態の側面を曖昧にすることを回避するために、具体的に示されない、または詳細に説明されない。本発明は、特定の実施形態を使用することによって図示され得るが、これは、本発明の限定ではなく、それを任意の特定の実施形態に限定するものでもなく、当業者は、付加的実施形態が、容易に理解可能であって、本発明の一部であることを認識するであろう。
【０１０２】
また、図面／図に描写される要素のうちの１つ以上のものは、特定の用途に従って有用であるようなある場合には、より分離される、または統合される様式において、実装される、あるいは除去される、または動作不能にさえされ得ることを理解されたい。加えて、図面／図における任意の信号矢印は、別様に具体的に記載されない限り、例示としてのみ見なされ、限定するものではない。
【０１０３】
本明細書に詳細に説明された代表的実施形態は、一例として提示され、限定としてではない。種々の変更が、説明される実施形態の形態および詳細に成され、本発明の範囲内である、均等物実施形態をもたらしてもよいことが、当業者によって理解されるであろう。
【図１】
2019532772.tif 000003
【図２】
2019532772.tif 000004
【図３】
2019532772.tif 000005
【図４】
2019532772.tif 000006
【図５】
2019532772.tif 000007
【図６Ａ】
2019532772.tif 000008
【図６Ｂ】
2019532772.tif 000009
【図７Ａ】
2019532772.tif 000010
【図７Ｂ】
2019532772.tif 000011
【図８Ａ】
2019532772.tif 000012
【図８Ｂ】
2019532772.tif 000013
【図８Ｃ】
2019532772.tif 000014
【図９Ａ】
2019532772.tif 000015
【図９Ｂ】
2019532772.tif 000016
【図１０Ａ】
2019532772.tif 000017
【図１０Ｂ】
2019532772.tif 000018
【図１０Ｃ】
2019532772.tif 000019
【図１１Ａ】
2019532772.tif 000020
【図１１Ｂ】
2019532772.tif 000021
【図１１Ｃ】
2019532772.tif 000022
【国際調査報告】
2019532772.tif 000023